(57)【要約】      （修正有）【課題】投入口からゴミ袋等の投入物を何気なく投入しても、該投入物がスムーズに覆い内部に移動し、投入口が自然と閉まりゴミ袋等が覆いによって確実の覆われる構成の散乱防止用覆いを供すること。【解決手段】  廃棄物等をまとめてこれを覆うことのできる網や布である布状体によって構成された前記廃棄物等を投入するための投入口を設けてある覆いであって、該布状体の中央付近に硬質または自立的に形状維持可能な弾性体によって独立形成された枠部材を前記投入口とするか、投入口を緊張状態に保つために独立形成された緊張手段によって投入口の形状を安定させたことを特徴とする散乱防止用覆いを供する。【選択図】図３
2006103805.tif 000002
【特許請求の範囲】
【請求項１】
廃棄物等をまとめてこれを覆うことのできる網や布である布状体によって構成された前記廃棄物等を投入するための投入口を設けてある覆いであって、該布状体の中央付近に硬質または自立的に形状維持可能な弾性体によって独立形成された枠部材を前記投入口とするか、投入口を緊張状態に保つために独立形成された緊張手段によって投入口の形状を安定させたことを特徴とする散乱防止用覆い。
【請求項２】
前記緊張手段が、少なくともその一部が取り外し可能な棒状体の組み合わせによるものであることを特徴とする請求項１に記載した散乱防止用覆い。
【請求項３】
前記投入口が前記布状体を二枚合わせに重ね合わせてあり、該二枚合わせの間から前記覆いの下に前記廃棄物等を投入できるようにしたことを特徴とする請求項１か２のいづれかに記載した散乱防止用覆い。
【請求項４】
立体的に構成された前記覆いの下部開口部の幅を該覆いの横幅最長部より短くすることで、前記投入口から投入した投入物を覆いの裾上に載るようにし、鳥獣の侵入を防ぐと共に収集物の散乱防止効果を確実にすることを特徴とする請求項１か２か３のいづれかに記載した散乱防止用覆い。
【発明の詳細な説明】
【技術分野】
【０００１】
本発明はごみ集荷場等に於けるごみの散乱を防止する散乱防止用覆いに関するものである。
【背景技術】
【０００２】
近年、都市部ではカラスが生ごみの入ったゴミ袋を切り裂いて、中の残飯等を喰いあさり、袋の内容物を路上等に散乱させる被害が日常化している。カラス等によるごみの散乱被害を食い止めるためにいくつもの発明がなされ、出願もされている。本願発明は特許３５８５１２６号と特願２００４−２４１７４７の改良発明である。
【０００３】
【特許文献１】特許３５８５１２６号特許３５８５１２６号に記載された発明は前記散乱防止用覆いの課題を解決するために開発されたものであり、一定の効果を上げるものであるが、実用上二つの課題を残している。その一つは、投入口の問題であり、前記特許３５８５１２６号に記載された発明には投入口について何ら配慮がないために、「網や布である布状体によって構成され」た該散乱防止用覆いにおいて、投入口がだらしなく開いたり、あるいは、これを避けるために投入口用の大きなカバーを設ける必要にせまられる。また、大量の集荷物が無理に投入されたような状態では、前記覆いを取り去る時に、前記収集物が前記覆いの開口部内側に掛着して離脱しがたい状況が生じる。投入口からゴミ袋等の投入物を何気なく投入しても、該投入後に投入口が自然にしっかりとしまる構成の投入口が望まれし、どのような状況にあってもスムースに取り外すことのできる覆いが望まれる。
【０００４】
【特許文献２】特願２００４−２４１７４７前記課題の解決を図ったものが特願２００４−２４１７４７に記載された発明であるが、材質が布や網であるため投入口が自立的に形状を維持できず、内部に押し込む作業が必要になり、急いでいる場合には不便である。片手でゴミ袋等の収集物を投入口にあてがうだけで自然に覆い内部に吸い込まれるような状態を作ることが望ましい。布状体による覆いであることから制約もあるが、片手で覆いの一部を押さえ、収集物を投入口にあてがって放すと該収集物が自然に覆い内部に落ちるような仕組みを実現したい。
【０００５】
【特許文献３】特開２０００−２５９０２特開２０００−２５９０２に記載された発明は「所定の面積を持つ網状体と、この網状体の裾部に取り付けられた錘体とからなる網状覆い具」であり、本願発明の趣旨とは異なるものの、明細書と図の中にテント状に形成され窓（投入口）を有する覆いの例が記載されている。しかし、窓については閉じることができるようにするとのみ記載されており、その構成についてそれ以上の記載はない。柔軟な素材による構成物に設けられた窓は柔軟であることが一般的であり、該発明における窓も網状体を補強する布等によるものと解するのが妥当と考える。
【発明の開示】
【発明が解決しようとする課題】
【０００６】
投入口からゴミ袋等の投入物を何気なく投入しても、該投入物がスムーズに覆い内部に移動し、投入口が自然と閉まってゴミ袋等が覆いによって確実の覆われる構成の散乱防止用覆いを供すること。
【課題を解決するための手段】
【０００７】
廃棄物等をまとめてこれを覆うことのできる網や布である布状体によって構成された前記廃棄物等を投入するための投入口を設けてある覆いであって、該布状体の中央付近に硬質または自立的に形状維持可能な弾性体によって独立形成された枠部材を前記投入口とするか、投入口を緊張状態に保つために独立形成された緊張手段によって投入口の形状を安定させたことを特徴とする散乱防止用覆いを供する。
【０００８】
前記緊張手段が少なくともその一部が取り外し可能な棒状体の組み合わせによるものであることを特徴とする散乱防止用覆いを供する。
【０００９】
前記投入口が前記布状体を二枚合わせに重ね合わせてあり、該二枚合わせの間から前記覆いの下に前記廃棄物等を投入できるようにしたことを特徴とする散乱防止用覆いを供する。
【００１０】
立体的に構成された前記覆いの下部開口部の幅を該覆いの横幅最長部より短くすることで、前記投入口から投入した投入物を覆いの裾上に載るようにし、鳥獣の侵入を防ぐと共に収集物の散乱防止効果を確実にすることを特徴とする散乱防止用覆いを供する。
【発明の効果】
【００１１】
廃棄物等をまとめてこれを覆うことのできる網や布である布状体によって構成された前記廃棄物等を投入するための投入口を設けてある覆いであって、該布状体の中央付近に硬質または自立的に形状維持可能な弾性体によって独立形成された枠部材を前記投入口とするか、投入口を緊張状態に保つために独立形成された緊張手段によって投入口の形状を安定させたことを特徴とする散乱防止用覆いであるため、次の効果を奏する。
【００１２】
投入口の形状が安定することで収集物の投入が簡便に素早く行えるようになる。
【００１３】
前記緊張手段が少なくともその一部が取り外し可能な棒状体の組み合わせによるものであることを特徴とする散乱防止用覆いであるため、次の効果を奏する。
【００１４】
棒状体を取り外すことで前記散乱防止用覆いは柔軟な布状の性質を取り戻し、前記棒状体に巻く、折りたたむ等の処理が可能となり、小さくまとめて収納することが可能となる。
【００１５】
前記投入口が前記布状体を二枚合わせに重ね合わせてあり、該二枚合わせの間から前記覆いの下に前記廃棄物等を投入できるようにしたことを特徴とする散乱防止用覆いであるため、次の効果を奏する。
【００１６】
二枚あわせになった投入口では該投入口の外側に位置する布状体を緊張状態に保つと内側が下方に垂れる構成となり、投入口に置かれた収集物は滑り台のように覆い内部に滑る落ちる。投入口は二枚あわせであるため、特に閉じる作業を必要とせず、投入後そのままにしても鳥獣の侵入を許さない。
【００１７】
立体的に構成された前記覆いの下部開口部の幅を該覆いの横幅最長部より短くすることで、前記投入口から投入した投入物を覆いの裾上に載るようにし、鳥獣の侵入を防ぐと共に収集物の散乱防止効果を確実にすることを特徴とする散乱防止用覆いであるため、次の効果を奏する。
【００１８】
投入された収集物が散乱防止用覆いの裾状に載ることから、前記収集物の自重で押さえつけられ、床との隙間をなくすことから鳥獣の侵入を許さない。
【発明を実施するための最良の形態】
【００１９】
本願発明は特許３５８５１２６号と特願２００４−２４１７４７の改良発明であって、目的は、投入口の形状を安定させることで散乱防止用覆い内への収集物の投入をよりスムースに行えるようにすることで前記二つの発明の効果をさらに高めようとすることにあります。本願に於ける独立形成された枠部材とはテントに於ける支柱等の他の硬質部材に連結されることなく投入口の形状を保つことのために構成された枠部材を意味するものであります。また、同様に、独立形成された緊張手段もテントに於ける支柱等の他の硬質部材に連結されることなく投入口の形状を保つことのために構成された緊張手段を意味します。
以下図に基づき具体的に述べます。
【実施例１】
【００２０】
図１は実施例１斜視図である。網や布である布状体１によって平面的に構成された、投入口２を有する散乱防止用覆い。該投入口２の周辺には投入口を緊張状態に保つための枠部材３が設けられる。該投入口２は一般的には中央付近に形成された前記布状体の切れ目であって、切れ目の端部４は柔軟で引っ張り強度の高い布の等によって補強される。切れ目の端部４には引き紐４１が取り付けてあり、該引き紐４１を引くことにより布状体１あるいは枠部材３が引き延ばされるか変形して、投入口２が開き収集物の投入がし易くなる。該引き紐４１を放すと引き延ばされるか変形していた布状体１あるいは枠部材３が形状を復元しようとして前記投入口２が閉じる。切れ目の端部４にゴムを配した場合には復元力が高まる。
【実施例２】
【００２１】
図２は実施例２の一部断面を含む斜視図である。上側の布状体２１と下側の布状体２２によって構成された筒状の投入口２を前記枠部材３の内側に形成した散乱防止用覆いである。引き紐４１を引くと上側の布状体２１が引き延ばされて、投入口が開口する。枠部材３存在により、該開口部付近に投入物を置くと下側の布状体２２が前記投入物の重みで引き延ばされ、内部に向かって傾斜し、滑り台のように前記投入物を内部に導く。投入後前記引き紐４１を放すと投入口は形状を復元し、投入物を完全に覆う。投入口が二枚合わせになっており、枠部材３よって布状体１が張状態を保つことから、一端覆われた前記投入物が投入口からはみ出すということが起こらない。
【実施例３】
【００２２】
図３は実施例３の一部断面を含む斜視図である。効果は実施例２と同様であるが、前記枠部材３を、緊張状態を保つための棒状体５に置き換えたものであり、該棒状体は、前記布状体１に枠状に取り付ける。棒状体５は前記布状体１の一つの辺に平行する棒状体５１が２本と、前記の辺とほぼ垂直に交わる残りの辺に平行する棒状体５２の２本によって構成される。本図では棒状体５１が布状体１に固定されており、棒状体５２はここでは袋状である取り付け手段６によってその端部を包持され、前記布状体１に取り付けられる。棒状体５１と棒状体５２は枠を形成することから、結果的に、本実施例は実施例２と同様の作用と効果を生じさせる。棒状体５２が布状体１から取り外せることから、これを取り外し棒状体５１と並べて、上から布状体１を巻き付けると全体を非常に小さくまとめることができ、収納に便利である。
【実施例４】
【００２３】
図４は実施例４の一部断面を含む斜視図である。効果は実施例２や３と同様であるが、実施例２に於ける枠部材３を、前記布状体１に枠状に取り付けて緊張状態を保つための棒状体５３に置き換えたものである。本実施例では枠部材３を用いず、前記枠部材３の角に相当する位置に前記棒状体５３の取り付け手段６を配したものである。棒状体５３は２本がＸ字状に配され、取り付け手段６によってその端部を前記布状体１に結合される。前記枠部材３の角に相当する位置が固定されるため、前記取り付け手段６と隣接する取り付け手段６を結ぶ線上に枠部材３を配したと同様の効果をもたらす。結果として、本実施例は実施例２や３と同様の作用と効果を生じさせる。棒状体５３が取り外せることからこれを取り外し、布状体１を折りたたむと、全体をさらに小さくまとめることができ、収納に便利である。
【実施例５】
【００２４】
図５は実施例５の斜視図である。前記覆いが立体的に構成され、該立体上部に枠部材３と蓋７による投入口を設け、下部に開口する覆いであり、立体的に縫製された前記覆いの任意の場所における垂直方向の切断面において、下部開口部の幅が前記覆いの横幅最長部よりも短く、前記下部開口部が、平面的に見て外周部よりも内側に位置し、投入口から投入したゴミ袋等が前記覆いの裾８の上に載ることで該裾８を自重により床に押しつけ鳥獣の侵入を防ぐと共に収集物の散乱防止効果を持たせた散乱防止用覆いである。枠部材３により投入口２の形状が一定に保たれることから投入しやすく、蓋７を有しているため投入口から鳥獣の侵入を防ぐことができる。
【実施例６】
【００２５】
図６は実施例６の斜視図である。本例は前記実施例５に於ける「立体的に縫製された前記覆いの任意の場所における垂直方向の切断面において、下部開口部の幅が前記覆いの横幅最長部よりも短く、前記下部開口部が、平面的に見て外周部よりも内側に位置」させる代わりに、前記下部開口部付近に絞り込み手段９を設けて裾８を絞り込み、下部開口部の幅を狭め、投入口２から投入した収集物が前記裾８の上に載ることで、該裾８を前記収集物の自重により床に押しつけ、鳥獣の侵入を防ぐと共に収集物の散乱防止効果を持たせた散乱防止用覆いである。該絞り込み手段９は裾８に輪９１を設け、該輪９１にロープ９２を通して該ロープを引き絞ることで前記開口部を小さく絞り込むことを可能にする。該ロープには絞り込んだロープ９２を元に戻さないための固定部９３を設ける。該固定部９３とロープ９２の操作により下部開口部の絞り込みを解除できることから、前記覆いを取り外す際に収集物が該覆いに掛着してしまうことを防ぐことができる。
【図面の簡単な説明】
【００２６】
【図１】実施例１の斜視図である。
【図２】実施例２の一部断面を有する斜視図である。
【図３】実施例３の一部断面を有する斜視図である。
【図４】実施例４の一部断面を有する斜視図である。
【図５】実施例５の斜視図である。
【図６】実施例６の斜視図である。
【符号の説明】
【００２７】
１  布状体
２  投入口
２１  上側の布状体
２２  下側の布状体
３  枠部材
４  切れ目の端部
４１  引き紐
５  棒状体
５１  棒状体
５２  棒状体
５３  棒状体
６  取り付け手段
７  蓋
８  裾
９  絞り込み手段
９１  輪
９２  ロープ
９３  固定部
【図１】
2006103805.tif 000003
【図２】
2006103805.tif 000004
【図３】
2006103805.tif 000005
【図４】
2006103805.tif 000006
【図５】
2006103805.tif 000007
【図６】
2006103805.tif 000008